(57)【要約】【課題】本発明は、ロール記録紙の湿度・温度等の環境の影響を管理して環境の影響を受けたロール記録紙を自動搬送してカットした後に排紙して、ロール記録紙の品質劣化による転写白抜け等の画像異常や定着皺の発生を防止する画像形成装置に関する。【解決手段】画像形成装置１は、記録紙給紙機構９ａ、９ｂに収納されているロール記録紙からロール端部が記録紙給搬送・画像記録部６の画像形成部に引き出されて、ロール記録紙のロール端部を記録紙給紙機構９ａ、９ｂで当該画像形成部に搬送し、当該ロール記録紙に画像形成して、カッターでカットして排出するに際して、ロール記録紙が湿度及び温度等の環境の影響を受けたか否かを判定し、環境の影響を受けたと判定すると、記録紙給紙機構９ａ、９ｂで所定長さ分だけロール記録紙を搬送してカッターでカットして排出する。【選択図】          図１
2005280041.tif 000002
【特許請求の範囲】
【請求項１】
記録紙収納部に収納されているロール記録紙からロール端部が画像形成部に引き出されて、当該ロール記録紙のロール端部を記録紙搬送手段で画像形成部に搬送し、当該画像形成部で当該ロール記録紙に画像形成して、カッター手段でカットして排出する画像形成装置において、前記ロール記録紙が湿度及び温度等の環境の影響を受けたか否かを判定する環境影響判定を行い、環境の影響を受けたと判定すると、前記記録紙搬送手段で所定長さ分だけ前記ロール記録紙を搬送して前記カッター手段でカットして排出する環境影響記録紙排紙処理を行うことを特徴とする画像形成装置。
【請求項２】
前記画像形成装置は、前記環境影響判定として、前記ロール記録紙を最後に使用した時点からのロール記録紙の未使用経過時間が予め設定されているロール記録紙排紙時間を経過しているか否かを判定することを特徴とする請求項１記載の画像形成装置。
【請求項３】
前記画像形成装置は、前記記録紙収納部から前記画像形成部に至る前記ロール記録紙の搬送経路を開閉する開閉扉と、当該開閉扉の開閉の有無を検出する開閉検出手段と、を備えており、当該開閉検出手段が前記最後にロール記録紙を使用した時点の後に当該開閉扉が開かれたことを検出すると、前記環境影響判定として、当該開閉扉が１度開かれたことに対して予め設定されている換算時間と当該開閉扉の開回数を乗算した通算換算時間を前記ロール記録紙を最後に使用した時点からのロール記録紙未使用経過時間に加算した換算ロール記録紙未使用経過時間が前記ロール記録紙排紙時間を経過しているか否かを判定することを特徴とする請求項２記載の画像形成装置。
【請求項４】
前記画像形成装置は、操作手段を備え、当該操作手段から前記ロール記録紙排紙時間または／及び前記換算時間を適宜設定可能であることを特徴とする請求項２または請求項３記載の画像形成装置。
【請求項５】
前記画像形成装置は、表示手段を備え、前記環境影響記録紙排紙処理を行うと、環境の影響を受けたロール記録紙を排紙した旨のメッセージを前記表示手段に表示出力することを特徴とする請求項１から請求項４のいずれかに記載の画像形成装置。
【請求項６】
前記画像形成装置は、前記環境影響記録紙排紙処理において、環境の影響を受けたロール記録紙を排紙した旨のメッセージを前記画像形成部で前記排紙するロール記録紙に記録出力することを特徴とする請求項１から請求項４のいずれかに記載の画像形成装置。
【発明の詳細な説明】
【技術分野】
【０００１】
本発明は、画像形成装置に関し、詳細には、ロール記録紙の湿度・温度等の環境の影響を管理して環境の影響を受けたロール記録紙を自動搬送してカットした後に排紙して、ロール記録紙の品質劣化による転写白抜け等の画像異常や定着皺の発生を防止する画像形成装置に関する。
【背景技術】
【０００２】
複写装置、プリンタ装置及びファクシミリ装置等のロール記録紙を用いた画像形成装置においては、搬送機構にセットされたロール記録紙のロール端部は、ロールから引き出されているため、湿度の影響を受けやすく、ロールから引き出された状態で長時間利用されないと、ロール記録紙のロール端部等が、吸湿により膨張する。
【０００３】
また、ロールから引き出された状態のロール記録紙のロール端部は、搬送ローラやガイド板等に接触している部分と他の部材に接触していない部分とで、湿度の影響を受ける度合いに差異があり、ロール記録紙の品質変化が一定せず、ロール記録紙にたわみ等の変形が生じる。
【０００４】
このようなロール記録紙の品質の劣化及びバラツキは、転写の白抜け等の画像異常や定着皺の発生の原因となり、画像品質が悪化する。
【０００５】
そこで、従来、画像形成装置においては、給紙機構内に除湿ヒータや除湿ファン及び湿度センサ等を設けたり、給紙機構自体の機密性を向上させることにより、給紙機構内の湿度条件を一定に保とうとしたり、ロール記録紙の吸湿を防ぐ方式が数多く提案されている。
【０００６】
例えば、特許文献１記載の従来技術では、ロール紙を収容して当該ロール紙を巻きほどき所定長さに切断して供給するロール紙収容部と当該ロール紙収納部から供給されるカット紙が積み重ねられて当該カット紙を一枚ずつ給紙するカット紙収納部との間にロール紙を加熱する加温ヒータを配置することで、給紙機構内の除湿を行っている。
【０００７】
【特許文献１】特開２０００−２８９８９３号公報
【発明の開示】
【発明が解決しようとする課題】
【０００８】
しかしながら、上記従来技術にあっては、ロール記録紙の吸湿を防止することに主眼がおかれており、吸湿してしまったロール記録紙に対する処置については何ら考慮されておらず、一旦吸湿したロール記録紙に画像形成すると、上述のように、転写の白抜け等の画像異常や定着皺が発生し、画像品質が悪化する。
【０００９】
そこで、請求項１記載の発明は、記録紙収納部に収納されているロール記録紙からロール端部が画像形成部に引き出されて、当該ロール記録紙のロール端部を記録紙搬送手段で画像形成部に搬送し、当該画像形成部で当該ロール記録紙に画像形成して、カッター手段でカットして排出するに際して、ロール記録紙が湿度及び温度等の環境の影響を受けたか否かを判定する環境影響判定を行い、環境の影響を受けたと判定すると、記録紙搬送手段で所定長さ分だけロール記録紙を搬送してカッター手段でカットして排出する環境影響記録紙排紙処理を行うことにより、環境の影響を受けたロール記録紙に画像形成して転写の白抜け等の画像異常や定着皺が発生することを未然に防止し、消耗品の無駄を削減しつつ、画像品質の良好な画像を効率的に形成する画像形成装置を提供することを目的としている。
【００１０】
請求項２記載の発明は、環境影響判定として、ロール記録紙を最後に使用した時点からのロール記録紙の未使用経過時間が予め設定されているロール記録紙排紙時間を経過しているか否かを判定することにより、ロール記録紙が使用されない状態が長期間経過していると、吸湿によって劣化して環境の影響を受けていると判断して、環境影響記録紙排紙処理を行って、転写の白抜け等の画像異常や定着皺が発生することを未然に防止し、消耗品の無駄を削減しつつ、画像品質の良好な画像を効率的に形成する画像形成装置を提供することを目的としている。
【００１１】
請求項３記載の発明は、開閉検出手段が、記録紙収納部から画像形成部に至るロール記録紙の搬送経路を開閉する開閉扉が開かれたことを、最後にロール記録紙を使用した時点の後に検出すると、環境影響判定として、当該開閉扉が１度開かれたことに対して予め設定されている換算時間と当該開閉扉の開回数を乗算した通算換算時間をロール記録紙を最後に使用した時点からのロール記録紙未使用経過時間に加算した換算ロール記録紙未使用経過時間がロール記録紙排紙時間を経過しているか否かを判定することにより、開閉扉が開かれることで、ロール記録紙が外気の温度や湿度の影響を受けて劣化することを適切に考慮して環境影響判定を行ってロール記録紙の状態を適切に判断して、環境の影響を受けたロール記録紙に画像形成して転写の白抜け等の画像異常や定着皺が発生することをより一層適切に未然に防止し、消耗品の無駄をより一層適切に削減しつつ、画像品質の良好な画像を効率的に形成する画像形成装置を提供することを目的としている。
【００１２】
請求項４記載の発明は、操作手段からロール記録紙排紙時間または／及び換算時間を適宜設定可能とすることにより、ロール記録紙排紙時間や換算時間を設置環境に応じて適宜設定できるようにして、ロール記録紙の状態をより一層適切に判断して、環境の影響を受けたロール記録紙に画像形成して転写の白抜け等の画像異常や定着皺が発生することをより一層適切に未然に防止し、消耗品の無駄をより一層適切に削減しつつ、画像品質の良好な画像を効率的に形成する画像形成装置を提供することを目的としている。
【００１３】
請求項５記載の発明は、環境影響記録紙排紙処理を行うと、環境の影響を受けたロール記録紙を排紙した旨のメッセージを表示手段に表示出力することにより、オペレータが排出されたロール記録紙が環境影響記録紙排紙処理で排出された記録紙であることが表示手段へのメッセージの表示で分かるようにし、利用性をより一層向上させることのできる画像形成装置を提供することを目的としている。
【００１４】
請求項６記載の発明は、環境影響記録紙排紙処理において、環境の影響を受けたロール記録紙を排紙した旨のメッセージを画像形成部で排紙するロール記録紙に記録出力することにより、オペレータが排出されたロール記録紙が環境影響記録紙排紙処理で排出された記録紙であることが排紙されたロール記録紙に記録されているメッセージで分かるようにし、利用性をより一層向上させることのできる画像形成装置を提供することを目的としている。
【課題を解決するための手段】
【００１５】
請求項１記載の発明の画像形成装置は、記録紙収納部に収納されているロール記録紙からロール端部が画像形成部に引き出されて、当該ロール記録紙のロール端部を記録紙搬送手段で画像形成部に搬送し、当該画像形成部で当該ロール記録紙に画像形成して、カッター手段でカットして排出する画像形成装置において、前記ロール記録紙が湿度及び温度等の環境の影響を受けたか否かを判定する環境影響判定を行い、環境の影響を受けたと判定すると、前記記録紙搬送手段で所定長さ分だけ前記ロール記録紙を搬送して前記カッター手段でカットして排出する環境影響記録紙排紙処理を行うことにより、上記目的を達成している。
【００１６】
この場合、例えば、請求項２に記載するように、前記画像形成装置は、前記環境影響判定として、前記ロール記録紙を最後に使用した時点からのロール記録紙の未使用経過時間が予め設定されているロール記録紙排紙時間を経過しているか否かを判定するものであってもよい。
【００１７】
また、例えば、請求項３に記載するように、前記画像形成装置は、前記記録紙収納部から前記画像形成部に至る前記ロール記録紙の搬送経路を開閉する開閉扉と、当該開閉扉の開閉の有無を検出する開閉検出手段と、を備えており、当該開閉検出手段が前記最後にロール記録紙を使用した時点の後に当該開閉扉が開かれたことを検出すると、前記環境影響判定として、当該開閉扉が１度開かれたことに対して予め設定されている換算時間と当該開閉扉の開回数を乗算した通算換算時間を前記ロール記録紙を最後に使用した時点からのロール記録紙未使用経過時間に加算した換算ロール記録紙未使用経過時間が前記ロール記録紙排紙時間を経過しているか否かを判定するものであってもよい。
【００１８】
さらに、例えば、請求項４に記載するように、前記画像形成装置は、操作手段を備え、当該操作手段から前記ロール記録紙排紙時間または／及び前記換算時間を適宜設定可能であってもよい。
【００１９】
また、例えば、請求項５に記載するように、前記画像形成装置は、表示手段を備え、前記環境影響記録紙排紙処理を行うと、環境の影響を受けたロール記録紙を排紙した旨のメッセージを前記表示手段に表示出力するものであってもよい。
【００２０】
さらに、例えば、請求項６に記載するように、前記画像形成装置は、前記環境影響記録紙排紙処理において、環境の影響を受けたロール記録紙を排紙した旨のメッセージを前記画像形成部で前記排紙するロール記録紙に記録出力するものであってもよい。
【発明の効果】
【００２１】
請求項１記載の発明の画像形成装置によれば、記録紙収納部に収納されているロール記録紙からロール端部が画像形成部に引き出されて、当該ロール記録紙のロール端部を記録紙搬送手段で画像形成部に搬送し、当該画像形成部で当該ロール記録紙に画像形成して、カッター手段でカットして排出するに際して、ロール記録紙が湿度及び温度等の環境の影響を受けたか否かを判定する環境影響判定を行い、環境の影響を受けたと判定すると、記録紙搬送手段で所定長さ分だけロール記録紙を搬送してカッター手段でカットして排出する環境影響記録紙排紙処理を行うので、環境の影響を受けたロール記録紙に画像形成して転写の白抜け等の画像異常や定着皺が発生することを未然に防止することができ、消耗品の無駄を削減することができるとともに、画像品質の良好な画像を効率的に形成することができる。
【００２２】
請求項２記載の発明の画像形成装置によれば、環境影響判定として、ロール記録紙を最後に使用した時点からのロール記録紙の未使用経過時間が予め設定されているロール記録紙排紙時間を経過しているか否かを判定するので、ロール記録紙が使用されない状態が長期間経過していると、吸湿によって劣化して環境の影響を受けていると判断して、環境影響記録紙排紙処理を行って、転写の白抜け等の画像異常や定着皺が発生することを未然に防止することができ、消耗品の無駄を削減することができるとともに、画像品質の良好な画像を効率的に形成することができる。
【００２３】
請求項３記載の発明の画像形成装置によれば、開閉検出手段が、記録紙収納部から画像形成部に至るロール記録紙の搬送経路を開閉する開閉扉が開かれたことを、最後にロール記録紙を使用した時点の後に検出すると、環境影響判定として、当該開閉扉が１度開かれたことに対して予め設定されている換算時間と当該開閉扉の開回数を乗算した通算換算時間をロール記録紙を最後に使用した時点からのロール記録紙未使用経過時間に加算した換算ロール記録紙未使用経過時間がロール記録紙排紙時間を経過しているか否かを判定するので、開閉扉が開かれることで、ロール記録紙が外気の温度や湿度の影響を受けて劣化することを適切に考慮して環境影響判定を行ってロール記録紙の状態を適切に判断して、環境の影響を受けたロール記録紙に画像形成して転写の白抜け等の画像異常や定着皺が発生することをより一層適切に未然に防止することができ、消耗品の無駄をより一層適切に削減することができるとともに、画像品質の良好な画像を効率的に形成することができる。
【００２４】
請求項４記載の発明の画像形成装置によれば、操作手段からロール記録紙排紙時間または／及び換算時間を適宜設定可能としているので、ロール記録紙排紙時間や換算時間を設置環境に応じて適宜設定できるようにして、ロール記録紙の状態をより一層適切に判断して、環境の影響を受けたロール記録紙に画像形成して転写の白抜け等の画像異常や定着皺が発生することをより一層適切に未然に防止することができ、消耗品の無駄をより一層適切に削減することができ、画像品質の良好な画像を効率的に形成することができる。
【００２５】
請求項５記載の発明の画像形成装置によれば、環境影響記録紙排紙処理を行うと、環境の影響を受けたロール記録紙を排紙した旨のメッセージを表示手段に表示出力しているので、オペレータが排出されたロール記録紙が環境影響記録紙排紙処理で排出された記録紙であることが表示手段へのメッセージの表示で分かるようにすることができ、利用性をより一層向上させることができる。
【００２６】
請求項６記載の発明の画像形成装置によれば、環境影響記録紙排紙処理において、環境の影響を受けたロール記録紙を排紙した旨のメッセージを画像形成部で排紙するロール記録紙に記録出力するので、オペレータが排出されたロール記録紙が環境影響記録紙排紙処理で排出された記録紙であることが排紙されたロール記録紙に記録されているメッセージで分かるようにすることができ、利用性をより一層向上させることができる。
【発明を実施するための最良の形態】
【００２７】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２８】
図１は、本発明の画像形成装置の一実施例を適用した画像形成装置１の要部概略ブロック構成図であり、画像形成装置１は、操作パネル２、情報表示部３、操作制御部４、制御部５及び記録紙給搬送・画像記録部６等を備えている。操作制御部４は、条件設定入力部７と情報表示制御部８等を備えており、記録紙給搬送・画像記録部６は、複数の記録紙搬送機構９ａ、９ｂを備えている。
【００２９】
記録紙給搬送・画像記録部（記録紙収納部、画像形成部）６は、その記録紙搬送機構（記録紙搬送手段）９ａ、９ｂの記録紙収納部に記録紙がロール状に巻き付けられているロール記録紙を収納しており、記録紙搬送機構９ａ、９ｂは、セットされているロール記録紙の引き出し端部（ロール端部）を常に記録紙給搬送・画像記録部６の画像形成部まで送り出している。記録紙給搬送・画像記録部６は、記録紙搬送機構９ａ、９ｂから送り出されているロール記録紙に画像形成部で所定の画像形成方式、例えば、電子写真方式で画像形成するとともに、当該画像形成部での画像形成に応じて記録紙搬送機構９ａ、９ｂから画像形成部にロール記録紙を搬送し、画像形成が完了すると、当該画像形成のサイズに応じて画像形成されたロール記録紙をカッター（カッター手段９でカットして、外部の排紙トレイ上に排出する。この記録紙給搬送・画像記録部６、特に、記録紙搬送機構９ａ、９ｂには、ロール記録紙の交換や紙詰まりを解消するために開閉ドア（開閉扉）が設けられており、この開閉ドアの開閉動作を検出して検出結果を制御部５に出力するドア開閉センサ（開閉検出手段）が設けられている。
【００３０】
記録紙給搬送・画像記録部６、特に、記録紙給紙機構９ａ、９ｂは、所定の密閉構造となっており、開閉ドアが開かれない限り、画像形成装置１の設置されている場所の湿度や温度の影響をあまり受けない構造となっている。
【００３１】
操作パネル（操作手段）２は、テンキーやスタートキー等の各種操作キーを備え、操作キーからは、画像形成装置１を使用した画像形成動作（コピー動作、プリンタ動作等）等の各種命令が入力されるとともに、後述するように、ロール記録紙排紙制御処理での条件設定操作が行われる。
【００３２】
情報表示部（表示手段）３は、例えば、液晶ディスプレイ等が用いられており、操作制御部４の制御下で、操作パネル２から入力された命令内容や画像形成装置１からオペレータに通知する各種情報、特に、後述する湿度や温度等の環境の影響を防止するロール記録紙排紙制御処理に伴う各種情報、例えば、環境影響に伴うロール記録紙の排紙を行った旨の排紙情報等を表示する。
【００３３】
操作制御部４は、上述のように、条件設定入力部７と情報表示制御部８等を備えており、操作パネル２と情報表示部３が接続されている。操作制御部４は、操作パネル２でのキー操作内容を検出して操作パネル２からの各種命令内容を取得し、取得した各種命令内容を情報表示部３に表示するとともに、制御部５に出力する。
【００３４】
条件設定入力部７は、操作パネル２でのキー操作のうち、特に、後述するロール記録紙排紙制御処理での条件設定操作を取得して、制御部５に通知し、制御部５は、操作パネル２での条件設定操作内容に基づいて、ロール記録紙排紙制御処理を実行する。このロール記録紙排紙制御処理での条件設定内容としては、ロール記録紙排紙時間、給紙機構ドア開換算時間（換算時間）等である。ロール記録紙排紙時間とは、最後に画像形成動作を行ってロール記録紙を使用した後に画像形成動作を行うことなく（ロール記録紙を使用することなく）経過して次に画像形成動作を行う際に当該画像形成動作に先立って所定長さのロール記録紙の排紙を行う経過時間であり、給紙機構ドア開換算時間は、上記記録紙給搬送・画像記録部６の開閉ドアのドアが１回開かれたことを上記ロール記録紙排紙時間の経過時間に対して何時間に換算するかを設定する時間である。そして、画像形成装置１の設置されている設置環境が低湿度の場合には、湿度を吸湿する割合が低いことから、ロール記録紙排紙時間がより長く、給紙機構ドア開換算時間がより短く設定され、設置環境が高湿度の場合には、湿度を吸湿する割合が高いことから、ロール記録紙排紙時間がより短く、給紙機構ドア換算時間がより長く設定される。
【００３５】
情報表示制御部８は、制御部５の制御下で、オペレータに通知する各種情報、特に、上記排紙情報等を情報表示部３に表示出力させる。
【００３６】
制御部５は、ＣＰＵ（Central Processing Unit ）、プログラムを格納するＲＯＭ（Read Only Memory）、ワークメモリとしてのＲＡＭ（Random Access Memory）及びタイマー機能等を備え、ＣＰＵがＲＯＭ内のプログラムに基づいてＲＡＭをワークメモリとして利用しつつ画像形成装置１の各部を制御して、画像形成装置１としての処理、例えば、コピー処理、プリント処理等を実行するとともに、操作パネル２から設定された条件設定内容、最後に画像形成動作を行ったときからの経過時間及び開閉ドアの開回数に基づいてロール記録紙の排紙処理を行うロール記録紙排紙制御処理を実行する。
【００３７】
次に、本実施例の作用を説明する。本実施例の画像形成装置１は、条件設定内容、最後に画像形成動作を行ったときからの経過時間及び開閉ドアの開回数に基づいてロール記録紙の排紙処理を行うロール記録紙排紙制御処理を行う。
【００３８】
すなわち、画像形成装置１は、操作パネル２からロール記録紙排紙制御処理の条件設定モードに設定されると、条件設定モードに移行し、操作パネル２から条件設定操作として、ロール記録紙排紙時間と給紙機構ドア開換算時間が設定操作されると、条件設定入力部７が当該条件設定操作内容（ロール記録紙排紙時間と給紙機構ドア開換算時間）を取得して、制御部５に設定する。
【００３９】
その後、条件設定モードが解除されて、通常の待機モードになると、制御部５は、操作パネル２からのキー操作に応じて、画像形成装置１の各部を制御して、コピー処理やプリント処理等の画像形成動作を行うが、画像形成動作を終了すると、内部タイマー機能により、最後の画像形成動作からのロール記録紙の未使用経過時間を計時して、当該ロール記録紙未使用経過時間が上記ロール記録紙排紙時間を経過したか判定する環境影響判定を行い、また、ドア開閉センサが記録紙給搬送・画像記録部６の開閉ドアの開を検出したかチェックして、ドア開閉センサが開閉ドアの開を検出しているときには、ドア開閉センサの検出した開閉ドアの開回数に給紙機構ドア開換算時間を乗算した換算時間を経過時間に加算した加算時間（換算ロール記録紙未使用経過時間）が上記ロール記録紙排紙時間を経過しているか判定する環境影響判定を行う。
【００４０】
そして、制御部５は、上記経過時間または加算時間がロール記録紙排紙時間を経過する前に、次の画像形成動作要求があると、記録紙給搬送・画像記録部６に、画像形成動作に先立ってロール記録紙の排紙動作を行うことなく、当該画像形成動作を行わせる。
【００４１】
また、制御部５は、上記経過時間または加算時間がロール記録紙排紙時間を経過した後に、画像形成動作要求があると、記録紙給搬送・画像記録部６に、画像形成動作に先立ってロール記録紙の排紙動作を行い、その後、画像形成動作を行わせる。
【００４２】
この場合、排紙するロール記録紙の長さとしては、湿度や温度の影響を受けやすい部分の長さ、例えば、少なくとも、ロール記録紙のロールから引き出されて給紙機構にセットされた長さを排紙し、さらに、このロール記録紙のロールから引き出されて給紙機構にセットされた長さに、湿度や温度の影響を受けやすいロール最外周１周分の長さを加えた長さを排紙するようにしてもよい。
【００４３】
そして、制御部５は、ロール記録紙の排紙動作を行うと、情報表示制御部８に環境影響に伴うロール記録紙の排紙を行った旨の排紙情報を情報表示部３へ表示出力させ、オペレータに吸湿等によって劣化したロール記録紙を排紙したことを認識させる。
【００４４】
なお、この環境影響に伴うロール記録紙の排紙を行った旨の排紙情報の通知は、情報表示部３への表示出力による通知に限るものではなく、例えば、上記排紙動作で排紙するロール記録紙に、環境影響に伴って劣化して排出したロール記録紙である旨の排紙情報を記録紙給搬送・画像記録部６の画像形成部で記録出力して、通常の画像形成で画像を記録出力したロール記録紙との混同を防止するようにしてもよい。
【００４５】
また、この排紙動作で排紙するロール記録紙には、予め制御部５等にプリセットされているサンプルチャートを記録紙給搬送・画像記録部６で記録出力して、実際の画像劣化の有無や程度を確認できるようにしてもよい。
【００４６】
このように、本実施例の画像形成装置１は、記録紙搬送機構９ａ、９ｂの記録紙収納部に収納されているロール記録紙からロール端部が記録紙給搬送・画像記録部６の画像形成部に引き出されて、ロール記録紙のロール端部を記録紙給紙機構９ａ、９ｂで当該画像形成部に搬送し、ロール記録紙に画像形成して、カッターでカットして排出するに際して、ロール記録紙が湿度及び温度等の環境の影響を受けたか否かを判定する環境影響判定を行い、環境の影響を受けたと判定すると、記録紙給紙機構９ａ、９ｂで所定長さ分だけロール記録紙を搬送してカッターでカットして排出する環境影響記録紙排紙処理を行っている。
【００４７】
したがって、環境の影響を受けたロール記録紙に画像形成して転写の白抜け等の画像異常や定着皺が発生することを未然に防止することができ、消耗品の無駄を削減することができるとともに、画像品質の良好な画像を効率的に形成することができる。
【００４８】
また、本実施例の画像形成装置１は、環境影響判定として、ロール記録紙を最後に使用した時点からのロール記録紙の未使用経過時間が予め設定されているロール記録紙排紙時間を経過しているか否かを判定している。
【００４９】
したがって、ロール記録紙が使用されない状態が長期間経過していると、吸湿によって劣化して環境の影響を受けていると判断して、環境影響記録紙排紙処理を行って、転写の白抜け等の画像異常や定着皺が発生することを未然に防止することができ、消耗品の無駄を削減することができるとともに、画像品質の良好な画像を効率的に形成することができる。
【００５０】
さらに、本実施例の画像形成装置１は、ドア開閉センサが、記録紙給紙機構９ａ、９ｂの記録紙収納部から記録紙給搬送・画像記録部６の画像形成部に至るロール記録紙の搬送経路を開閉する開閉ドアが開かれたことを、最後にロール記録紙を使用した時点の後に検出すると、環境影響判定として、当該開閉ドアが１度開かれたことに対して予め設定されている換算時間と当該開閉ドアの開回数を乗算した通算換算時間をロール記録紙を最後に使用した時点からのロール記録紙未使用経過時間に加算した換算ロール記録紙未使用経過時間がロール記録紙排紙時間を経過しているか否かを判定している。
【００５１】
したがって、開閉ドアが開かれることで、ロール記録紙が外気の温度や湿度の影響を受けて劣化することを適切に考慮して環境影響判定を行ってロール記録紙の状態を適切に判断して、環境の影響を受けたロール記録紙に画像形成して転写の白抜け等の画像異常や定着皺が発生することをより一層適切に未然に防止することができ、消耗品の無駄をより一層適切に削減することができるとともに、画像品質の良好な画像を効率的に形成することができる。
【００５２】
また、本実施例の画像形成装置１は、操作パネル２からロール記録紙排紙時間及び換算時間を適宜設定可能としている。
【００５３】
したがって、ロール記録紙排紙時間や換算時間を設置環境に応じて適宜設定できるようにして、ロール記録紙の状態をより一層適切に判断して、環境の影響を受けたロール記録紙に画像形成して転写の白抜け等の画像異常や定着皺が発生することをより一層適切に未然に防止することができ、消耗品の無駄をより一層適切に削減することができ、画像品質の良好な画像を効率的に形成することができる。
【００５４】
さらに、本実施例の画像形成装置１は、環境影響記録紙排紙処理を行うと、環境の影響を受けたロール記録紙を排紙した旨のメッセージを情報表示部３に表示出力している。
【００５５】
したがって、オペレータが排出されたロール記録紙が環境影響記録紙排紙処理で排出された記録紙であることが表示手段へのメッセージの表示で分かるようにすることができ、利用性をより一層向上させることができる。
【００５６】
また、本実施例の画像形成装置１は、環境影響記録紙排紙処理において、環境の影響を受けたロール記録紙を排紙した旨のメッセージを画像形成部で排紙するロール記録紙に記録出力している。
【００５７】
したがって、オペレータが排出されたロール記録紙が環境影響記録紙排紙処理で排出された記録紙であることが排紙されたロール記録紙に記録されているメッセージで分かるようにすることができ、利用性をより一層向上させることができる。
【００５８】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５９】
湿度や温度等の環境の影響を受けたロール記録紙を適切に排紙して、ロール記録紙の品質劣化による転写白抜け等の画像異常や定着皺の発生を防止するプリンタ、ファクシミリ装置、複写装置、複合装置等の画像形成装置に適用することができる。
【図面の簡単な説明】
【００６０】
【図１】本発明の画像形成装置の一実施例を適用した画像形成装置の要部概略ブロック構成図。
【符号の説明】
【００６１】
１  画像形成装置
２  操作パネル
３  情報表示部
４  操作制御部
５  制御部
６  記録紙給搬送・画像記録部６
７  条件設定入力部
８  情報表示制御部
９ａ、９ｂ  記録紙搬送機構
【図１】
2005280041.tif 000003